【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
歯ブラシにおいて、
柄と、
歯ブラシ頭部であって、
前記歯ブラシの柄に近位の端部、
前記柄に遠位の端部、
複数本の歯ブラシの毛を保持する背部表面、
前記背部表面の反対側の腹部表面、
前記歯ブラシ頭部の前記背部表面と前記腹部表面との間に配置された、第１の側面および第２の側面、ならびに、
前記歯ブラシ頭部の前記第１の側面および前記第２の側面のそれぞれに配置された、複数の歯肉クッション、
を含む、歯ブラシ頭部と、
を備え、
各歯肉クッションの高さは、前記複数本の歯ブラシの毛全ての高さよりも低く、
前記複数本の歯ブラシの毛の高さに対するそれぞれの前記歯肉クッションの高さは、前記歯ブラシ頭部の前記近位の端部から前記歯ブラシ頭部の前記遠位の端部まで次第に低くなり、前記複数本の歯ブラシの毛と前記歯ブラシ頭部の前記遠位の端部に隣接する歯肉クッションとの間の高さの差は、前記複数本の歯ブラシの毛と前記歯ブラシ頭部の前記近位の端部に隣接する歯肉クッションとの間の高さの差よりも大きい、歯ブラシ。
【請求項２】
請求項１に記載の歯ブラシにおいて、
前記柄は、
消費者の手の中に前記柄を保持するための、卵形の基部、
前記基部に隣接する、くびれ部、
肩部、
前記くびれ部に隣接し、前記肩部において終端をなす、握り部分、
前記肩部に隣接する、オフセット部、および、
前記オフセット部に隣接する、首部、
を含み、
前記くびれ部、および前記握り部分は、前記基部の背部表面に対して凹面であり、
前記オフセット部を二等分する長さ方向軸の角度は、前記基部を二等分する長さ方向軸に対して、約１０〜約４５°であり、
前記首部を二等分する長さ方向軸の角度は、前記基部を二等分する前記長さ方向軸に対して、約５〜約１５°である、歯ブラシ。
【請求項３】
請求項１に記載の歯ブラシにおいて、
それぞれの前記歯肉クッションは、間にくぼみのある少なくとも２つの先端を有する、多数の突出部のあるクッションの一体化された形態に成型された、柔らかく柔軟な材料で形成され、前記くぼみの下部は、前記歯ブラシ頭部の前記背部表面より高く、前記複数本の歯ブラシの毛の高さに対するそれぞれの前記先端および前記くぼみの高さは、前記歯ブラシ頭部の前記近位の端部から前記歯ブラシ頭部の前記遠位の端部まで次第に低くなっている、歯ブラシ。
【請求項４】
請求項３に記載の歯ブラシにおいて、
前記歯肉クッションの高さはそれぞれ、約８ｍｍ、約６．５ｍｍ、および約５ｍｍである、歯ブラシ。
【請求項５】
請求項４に記載の歯ブラシにおいて、
前記歯ブラシ頭部は、前記歯ブラシ頭部の前記遠位の端部に向かって９０°未満の角度で設けられた、前部のふさをさらに含む、歯ブラシ。
【請求項６】
請求項５に記載の歯ブラシにおいて、
前記歯ブラシ頭部の前記近位の端部に向かって９０°未満の角度で設けられた、尾部のふさ、
をさらに含む、歯ブラシ。
【請求項７】
請求項６に記載の歯ブラシにおいて、
前記歯ブラシの毛は、同じ角度で刈り込まれ、傾斜した先端を形成している、歯ブラシ。
【請求項８】
請求項７に記載の歯ブラシにおいて、
前記歯ブラシ頭部は、前記歯ブラシ頭部の前記遠位の端部に向かって約８３°の角度で設けられた、前部のふさをさらに含む、歯ブラシ。
【請求項９】
請求項８に記載の歯ブラシにおいて、
前記歯ブラシ頭部の前記近位の端部に向かって約８３°の角度で設けられた、尾部のふさ、
をさらに含む、歯ブラシ。
【請求項１０】
請求項１に記載の歯ブラシにおいて、
前記複数の歯肉クッションは、前記複数の歯肉クッションを含む、多数の突出部のある歯肉クッションを提供するように、一体化された形態にある、歯ブラシ。
【請求項１１】
歯ブラシの頭部において、
歯ブラシの柄に近位の端部と、
前記歯ブラシの柄に遠位の端部と、
複数本の歯ブラシの毛を保持する背部表面と、
前記背部表面の反対側の腹部表面と、
前記歯ブラシの頭部の前記背部表面と前記腹部表面との間に配置された、第１の側面および第２の側面と、
前記歯ブラシの頭部の前記第１の側面および前記第２の側面のそれぞれに配置された複数の歯肉クッションと、
を備え、
各歯肉クッションの高さは、前記複数本の歯ブラシの毛全ての高さよりも低く、
前記複数本の歯ブラシの毛の高さに対するそれぞれの前記歯肉クッションの高さは、前記歯ブラシの頭部の前記近位の端部から前記歯ブラシの頭部の前記遠位の端部まで次第に低くなり、前記複数本の歯ブラシの毛と前記歯ブラシの頭部の前記遠位の端部に隣接する歯肉クッションとの間の高さの差は、前記複数本の歯ブラシの毛と前記歯ブラシの頭部の前記近位の端部に隣接する歯肉クッションとの間の高さの差より大きい、歯ブラシの頭部。
【請求項１２】
請求項１１に記載の歯ブラシの頭部において、
前記歯ブラシの頭部は、前記第１の側面および前記第２の側面のそれぞれに、３つの歯肉クッションを含む、歯ブラシの頭部。
【請求項１３】
請求項１２に記載の歯ブラシの頭部において、
前記歯ブラシの頭部の前記第１の側面および前記第２の側面のそれぞれに配置された前記歯肉クッションの高さはそれぞれ、約８ｍｍ、約６．５ｍｍ、および約５ｍｍである、歯ブラシの頭部。
【請求項１４】
請求項１３に記載の歯ブラシの頭部において、
前記歯ブラシの頭部の前記遠位の端部に向かって９０°未満の角度で設けられた、前部のふさ、
をさらに備える、歯ブラシの頭部。
【請求項１５】
請求項１４に記載の歯ブラシの頭部において、
前記歯ブラシの頭部の前記近位の端部に向かって９０°未満の角度で設けられた、尾部のふさ、
をさらに備える、歯ブラシの頭部。
【請求項１６】
請求項１１に記載の歯ブラシの頭部において、
前記歯ブラシの頭部の長さ方向に沿って８３°の角度で互いに向かって傾斜した、複数対の歯ブラシの毛のふさ、
をさらに備える、歯ブラシの頭部。
【請求項１７】
請求項１６に記載の歯ブラシの頭部において、
前記歯ブラシの毛は、同じ角度で刈り込まれ、傾斜した先端を形成している、歯ブラシの頭部。
【請求項１８】
請求項１３に記載の歯ブラシの頭部において、
前記歯ブラシの頭部の前記遠位の端部に向かって約８３°の角度で設けられた、前部のふさ、
をさらに備える、歯ブラシの頭部。
【請求項１９】
請求項１８に記載の歯ブラシの頭部において、
前記歯ブラシの頭部の前記近位の端部に向かって約８３°の角度で設けられた、尾部のふさ、
をさらに備える、歯ブラシの頭部。
【請求項２０】
請求項１１に記載の歯ブラシの頭部において、
前記複数の歯肉クッションは、前記複数の歯肉クッションを含む、多数の突出部のある歯肉クッションを提供するように、一体化された形態にある、歯ブラシの頭部。
【請求項２１】
歯ブラシの頭部において、
歯ブラシの柄に近位の端部と、
前記歯ブラシの柄に遠位の端部と、
複数本の歯ブラシの毛を保持する背部表面と、
前記背部表面の反対側の腹部表面と、
前記歯ブラシの頭部の前記背部表面と前記腹部表面との間に配置された、第１の側面および第２の側面と、
前記歯ブラシの頭部の前記第１の側面および前記第２の側面のそれぞれに配置された複数の歯肉クッションと、
を備え、
それぞれの前記歯肉クッションは、間にくぼみのある少なくとも２つの先端を有する、多数の突出部のあるクッションの一体化された形態に成型された、柔らかく柔軟な材料で形成され、前記くぼみの下部は、前記歯ブラシの頭部の前記背部表面より高く、
前記複数本の歯ブラシの毛の高さに対するそれぞれの前記先端の高さは、前記歯ブラシの頭部の前記近位の端部から前記歯ブラシの頭部の前記遠位の端部まで次第に低くなる、歯ブラシの頭部。
【請求項２２】
請求項２１に記載の歯ブラシの頭部において、
前記複数の歯肉クッションは、３つの先端を含み、各先端間にはくぼみがあり、
各くぼみの下部は、前記歯ブラシの頭部の前記背部表面より高く、
前記歯ブラシの頭部の前記近位の端部から前記歯ブラシの頭部の前記遠位の端部に向かう方向において、各くぼみの下部は、前記複数本の歯ブラシの毛の自由端から次第に遠く離れる、歯ブラシの頭部。
【請求項２３】
請求項２１に記載の歯ブラシの頭部において、
前記歯肉クッションの各先端の高さは、前記複数本の歯ブラシの毛全てより低い、歯ブラシの頭部。